(57)【要約】【課題】多数の紙材からなる積層体と、この積層体を覆う表紙とを有する冊子を容易かつ精度良く製本する。【解決手段】冊子１０は、多数の紙材２を接着してなる積層体１と、積層体の一面１ｃに接着された一側表紙１１と、積層体１の他面１ｄに接着された他側表紙１２と、を備えている。各紙材２は、一面２ｃおよび他面２ｄに位置する樹脂層７，７を有している。また、隣接する紙材２間、紙材２と一側表紙１１との間、および紙材２と他側表紙１２との間は、各紙材２の樹脂層７の熱融着により接着されている。そして、一側表紙１１および他側表紙１２は、その先端部分１１ａ，１２ａが各々、積層体１の先端部１ａから突出しないよう内方に折り込まれている。【選択図】図３
2012006352.tif 000002
【特許請求の範囲】
【請求項１】
両面に樹脂層を有する多数の紙材の基端部を接着してなる積層体と、
前記積層体の一側の基端部に接着された一側表紙と、
前記積層体の他側の基端部に接着された他側表紙と、を備え、
隣接する紙材間、紙材と前記一側表紙との間、および紙材と前記他側表紙との間は、各紙材の樹脂層の熱融着により接着され、
前記一側表紙および前記他側表紙は、その先端部分が各々、前記積層体の先端部から突出しないよう内方に折り込まれていることを特徴とする冊子。
【請求項２】
前記一側表紙および前記他側表紙の先端部分は、隣接する紙材の先端部を覆うこと無く内方に折り込まれていることを特徴とする請求項１に記載の冊子。
【請求項３】
前記一側表紙および前記他側表紙の先端部分は、隣接する紙材の先端部を覆うよう内方に折り込まれていることを特徴とする請求項１に記載の冊子。
【請求項４】
両面に樹脂層を有する多数の紙材の基端部を接着してなる積層体と、
前記積層体の一側の基端部に接着された一側表紙と、
前記積層体の他側の基端部に接着された他側表紙と、を備え、
隣接する紙材間、紙材と前記一側表紙との間、および紙材と前記他側表紙との間は、各紙材の樹脂層の熱融着により接着され、
前記一側表紙は、前記積層体の先端部を覆うよう前記他側表紙側へ折り込まれ、
前記一側表紙の先端部分は、前記他側表紙に設けられた係合部に係合することを特徴とする冊子。
【請求項５】
多数の紙材体の基端部を接着してなる積層体と、
前記積層体の基端部の一側に接着された一側表紙と、
前記積層体の基端部の他側に接着された他側表紙と、を備え、
各紙材体は、紙材体の先端部が折り目となるよう２つ折りにされた紙材からなり、各紙材は、２つ折りにされた際に内方に位置する内面と、外方に位置する外面と、を含み、
前記積層体の各紙材体の紙材の内面および外面は、画像が形成された画像領域と、隣接する紙材体の紙材との間で接着されるとじしろ領域と、に区画され、
各紙材の内面および外面の画像領域の表面層、および、各紙材の外面のとじしろ領域の表面層は樹脂層からなり、
隣接する紙材体間、紙材体と前記一側表紙との間、および紙材体と前記他側表紙との間は、紙材の外面の前記とじしろ領域における樹脂層の熱融着により接着され、
前記一側表紙は、前記積層体の先端部または基端部を覆うよう前記他側表紙側へ折り込まれ、
前記一側表紙の先端部分は、前記他側表紙に設けられた係合部に係合することを特徴とする冊子。
【請求項６】
前記一側表紙および前記他側表紙の表面層が、表紙用樹脂層からなることを特徴とする請求項１乃至５のいずれかに記載の冊子。
【請求項７】
請求項１乃至６のいずれかに記載の冊子を製造する冊子製造方法において、
多数の紙材または紙材体の基端部を樹脂層の熱融着により接着して積層体を形成する積層体形成工程と、
前記積層体の基端部の一側に一側表紙を樹脂層の熱融着により接着する一側表紙接着工程と、
前記積層体の基端部の他側に他側表紙を樹脂層の熱融着により接着する他側表紙接着工程と、
前記一側表紙または前記他側表紙の少なくとも一方を折り込む表紙折込工程と、を備えたことを特徴とする冊子製造方法。
【請求項８】
はじめに、前記積層体形成工程、前記一側表紙接着工程および前記他側表紙接着工程が同時に実施され、次に、前記表紙折込工程が実施されることを特徴とする請求項７に記載の冊子製造方法。
【請求項９】
はじめに、前記積層体形成工程が実施され、次に、前記一側表紙接着工程および前記他側表紙接着工程が実施され、その後、前記表紙折込工程が実施されることを特徴とする請求項７に記載の冊子製造方法。
【発明の詳細な説明】
【技術分野】
【０００１】
本発明は、両面に樹脂層を有する多数の紙材を接着してなる積層体と、この積層体に接着された一側表紙および他側表紙と、を備えた冊子に関する。また本発明は、２つ折りにされた紙材からなる紙材体の多数を接着してなる積層体と、この積層体に接着された一側表紙および他側表紙と、を備えた冊子に関する。さらに本発明は、冊子を製造するための冊子製造方法に関する。
【背景技術】
【０００２】
近年、フォトブックと呼ばれるような写真紙（紙材）からなる冊子が製本されている。このような冊子は昇華転写またはインクジェットにより片面印刷された写真を、台紙または写真裏面同士を貼り合わせる合紙製本、リング綴、ホチキスによる中綴または平綴、および、無線綴などの手法により製本される。
【先行技術文献】
【特許文献】
【０００３】
【特許文献１】特開平３−１０８５９０号公報
【０００４】
片面写真では、１ページに対して写真紙が１枚となり、一冊当たりのコストが高くなる。このため、インクジェットや電子写真で写真紙の両面に写真を印刷することによるコスト低減が図られている。しかしながら、インクジェット等で印刷された写真は、サーマルヘッドを用いた感熱昇華転写の写真よりも画質が劣る。従って、写真をより高画質で印刷するためには、印刷方法として、サーマルヘッドを用いた感熱昇華転写が用いられることが望ましい。
【０００５】
また、リング綴、ホチキスによる中綴または平綴などの手法ではなく、無線綴を採用することによる製本コストの低減が図られている。しかしながら一般に、昇華転写用の写真紙は、基材となる紙の片面または両面に受容層（樹脂層）を有するので、写真紙１枚が厚くて腰がある。このため、糊付けだけでは多数の写真紙を支えきれないという問題があった。また、綴じ具またはアクリル系の両面テープを使用すると、接着資材のコストが高くなるとともに糊付け作業の負荷が生じていた。
【０００６】
また一般に、冊子のために準備される写真紙の寸法と、表紙の寸法とは異なっている。この場合、表紙が写真紙の先端部から突出するのを防ぐため、表紙を写真紙に取り付けた後に表紙の先端部分を切断する必要があり（例えば特開平７−１０８７８３号公報参照）、このため製本コストがさらに高くなっていた。
【発明の概要】
【発明が解決しようとする課題】
【０００７】
本発明は、このような課題を効果的に解決し得る冊子または冊子製造方法を提供することを目的とする。
【課題を解決するための手段】
【０００８】
第１の本発明は、両面に樹脂層を有する多数の紙材の基端部を接着してなる積層体と、前記積層体の一側の基端部に接着された一側表紙と、前記積層体の他側の基端部に接着された他側表紙と、を備え、隣接する紙材間、紙材と前記一側表紙との間、および紙材と前記他側表紙との間は、各紙材の樹脂層の熱融着により接着され、前記一側表紙および前記他側表紙は、その先端部分が各々、前記積層体の先端部から突出しないよう内方に折り込まれていることを特徴とする冊子である。
【０００９】
第１の本発明による冊子において、前記一側表紙および前記他側表紙の先端部分は、隣接する紙材の先端部を覆うこと無く内方に折り込まれていてもよい。
【００１０】
第１の本発明による冊子において、前記一側表紙および前記他側表紙の先端部分は、隣接する紙材の先端部を覆うよう内方に折り込まれていてもよい。
【００１１】
第２の本発明は、両面に樹脂層を有する多数の紙材の基端部を接着してなる積層体と、前記積層体の一側の基端部に接着された一側表紙と、前記積層体の他側の基端部に接着された他側表紙と、を備え、隣接する紙材間、紙材と前記一側表紙との間、および紙材と前記他側表紙との間は、各紙材の樹脂層の熱融着により接着され、前記一側表紙は、前記積層体の先端部を覆うよう前記他側表紙側へ折り込まれ、前記一側表紙の先端部分は、前記他側表紙に設けられた係合部に係合することを特徴とする冊子である。
【００１２】
第３の本発明は、多数の紙材体の基端部を接着してなる積層体と、前記積層体の基端部の一側に接着された一側表紙と、前記積層体の基端部の他側に接着された他側表紙と、を備え、各紙材体は、紙材体の先端部が折り目となるよう２つ折りにされた紙材からなり、各紙材は、２つ折りにされた際に内方に位置する内面と、外方に位置する外面と、を含み、前記積層体の各紙材体の紙材の内面および外面は、画像が形成された画像領域と、隣接する紙材体の紙材との間で接着されるとじしろ領域と、に区画され、各紙材の内面および外面の画像領域の表面層、および、各紙材の外面のとじしろ領域の表面層は樹脂層からなり、隣接する紙材体間、紙材体と前記一側表紙との間、および紙材体と前記他側表紙との間は、紙材の外面の前記とじしろ領域における樹脂層の熱融着により接着され、前記一側表紙は、前記積層体の先端部または基端部を覆うよう前記他側表紙側へ折り込まれ、前記一側表紙の先端部分は、前記他側表紙に設けられた係合部に係合することを特徴とする冊子である。
【００１３】
本発明による冊子において、前記一側表紙および前記他側表紙の表面層が、表紙用樹脂層からなっていてもよい。
【００１４】
第４の本発明は、上記記載の冊子を製造する冊子製造方法において、多数の紙材または紙材体の基端部を樹脂層の熱融着により接着して積層体を形成する積層体形成工程と、前記積層体の基端部の一側に一側表紙を樹脂層の熱融着により接着する一側表紙接着工程と、前記積層体の基端部の他側に他側表紙を樹脂層の熱融着により接着する他側表紙接着工程と、前記一側表紙または前記他側表紙の少なくとも一方を折り込む表紙折込工程と、を備えたことを特徴とする冊子製造方法である。
【００１５】
本発明による冊子製造方法において、はじめに、前記積層体形成工程、前記一側表紙接着工程および前記他側表紙接着工程が同時に実施され、次に、前記表紙折込工程が実施されてもよい。
【００１６】
本発明による冊子製造方法において、はじめに、前記積層体形成工程が実施され、次に、前記一側表紙接着工程および前記他側表紙接着工程が実施され、その後、前記表紙折込工程が実施されてもよい。
【発明の効果】
【００１７】
本発明によれば、冊子は、多数の紙材または紙材体の基端部を接着してなる積層体と、積層体の基端部の一側に接着された一側表紙と、積層体の基端部の他側に接着された他側表紙と、を備えている。ここで、各紙材間または各紙材体間、積層体と前記一側表紙との間、および、積層体と前記他側表紙との間は、各紙材の樹脂層の熱融着により接着されている。このため、各紙材間または各紙材体間、積層体と前記一側表紙との間、または、積層体と前記他側表紙との間を、低コストで強固に接着することができる。また、一側表紙は、内方または他側表紙側へ折り込まれている。このため、冊子を製造する際、紙材または紙材体の寸法に合わせて一側表紙を切断する必要がない。このため、冊子の製造コストをさらに低減することができる。
【図面の簡単な説明】
【００１８】
【図１】図１は、本発明の第１の実施の形態における冊子を示す図。
【図２】図２（ａ）は、紙材の層構成を示す断面図、図２（ｂ）は、表紙の層構成を示す断面図。
【図３】図３は、図１に示す冊子のIII−III線に沿った断面図。
【図４】図４（ａ）（ｂ）（ｃ）は、本発明の第１の実施の形態において、紙材および表紙を接着する工程を示す図。
【図５】図５（ａ）（ｂ）（ｃ）（ｄ）は、本発明の第１の実施の形態において、表紙を折り込んで冊子を形成する工程を示す図。
【図６】図６（ａ）（ｂ）は、本発明の第１の実施の形態の変形例における冊子を示す図。
【図７】図７は、本発明の第２の実施の形態における冊子を示す図。
【図８】図８（ａ）（ｂ）（ｃ）は、本発明の第２の実施の形態において、紙材および表紙を接着する工程を示す図。
【図９】図９（ａ）（ｂ）（ｃ）は、本発明の第２の実施の形態において、表紙を折り込んで冊子を形成する工程を示す図。
【図１０】図１０は、本発明の第３の実施の形態における冊子を示す図。
【図１１】図１１は、図１０に示す冊子を広げる様子を示す図。
【図１２】図１２は、図１０に示す冊子のXII−XII線に沿った断面図。
【図１３】図１３（ａ）（ｂ）（ｃ）は、本発明の第３の実施の形態において、紙材および表紙を接着する工程を示す図。
【図１４】図１４（ａ）（ｂ）（ｃ）は、本発明の第３の実施の形態において、表紙を折り込んで冊子を形成する工程を示す図。
【発明を実施するための形態】
【００１９】
第１の実施の形態
以下、図１乃至図６（ａ）（ｂ）を参照して、本発明の第１の実施の形態について説明する。はじめに図１を参照して、冊子１０全体について説明する。
【００２０】
冊子
図１に示すように、冊子１０は、多数の紙材２を接着してなる積層体１と、積層体の一側の面（一面）１ｃに接着された一側表紙１１と、積層体１の他側の面（他面）１ｄに接着された他側表紙１２と、を備えている。ここで、積層体１は、図１に示す各紙材２の基端部２ｂを各々接着することにより構成されている。また、一側表紙１１および積層体１は、互いにその基端部１１ｂ，１ｂが接着されている。同様に、他側表紙１２および積層体１は、互いにその基端部１２ｂ，１ｂが接着されている。
【００２１】
上述のように、隣接する紙材２間、一側表紙１１と紙材２との間、および他側表紙１２と紙材２との間は、各々の基端部側において接着されている。ここで、図１に示すように、紙材２のうち上述の接着が施される領域がとじしろ領域２ｆとなっており、とじしろ領域２ｆ以外の領域であって、写真画像などの画像が形成される領域が画像領域２ｅとなっている。
【００２２】
また図１に示すように、積層体１の基端部２ｂ側には背表紙１８がさらに接着されている。本実施の形態においては、図１に示すように、一側表紙１１、背表紙１８および他側表紙１２は各々、１枚の表紙シートを適宜折り曲げることにより構成されている。しかしながら、一側表紙１１、背表紙１８および他側表紙１２の構成がこれに限られることはなく、一側表紙１１、背表紙１８および他側表紙１２がそれぞれ別体の表紙シートから構成されていてもよい。
【００２３】
また図１に示すように、一側表紙１１の先端部分１１ａは、積層体１の先端部１ａから突出しないよう内方に折り込まれており、同様に、他側表紙１２の先端部分１２ａも内方に折り込まれている。このように各表紙１１，１２の先端部分１１ａ，１２ａを内方に折り込むことにより、各表紙１１，１２が積層体１の先端部１ａから突出するのが防がれており、このことにより、冊子１０の意匠性が高められている。なお、「積層体１の先端部１ａから突出しないよう内方に折り込む」とは、先端部分１１ａを折り込むことにより形成される折り目が、積層体１の先端部１ａと略同一平面上に位置するよう、先端部分１１ａを内方に折り込むことを意味している。
【００２４】
紙材および表紙の層構成
次に図２（ａ）（ｂ）を参照して、紙材２および各表紙１１，１２の層構成について説明する。図２（ａ）は、紙材２の層構成を示す断面図であり、図２（ｂ）は、各表紙１１，１２の層構成を示す断面図である。
【００２５】
図２（ａ）に示すように、紙材２は、紙基材３と、紙基材３の両面上に設けられ、紙材２の両側表面（一面２ｃおよび他面２ｄ）に位置する樹脂層７，７と、を有している。このうち各樹脂層７，７は、図２（ａ）に示すように、紙基材３の両面に順次積層されたプライマー層４、受容層５、および保護層６を含んでいる。
【００２６】
このうち紙基材３は紙単体、樹脂フィルム単体、または紙と樹脂フィルムの積層体から構成される。
【００２７】
プライマー層４としては、オレフィン系樹脂、例えばポリエチレン樹脂、ポリプロピレン樹脂等が用いられる。受容層５は、昇華転写により紙材２上に画像が形成される際にインク（図示せず）を受容する層であり、塩化ビニル系樹脂、例えば、塩化ビニル酢酸ビニル共重合体等が用いられる。また保護層６としては、アクリル系樹脂等の熱可塑性樹脂等が用いられる。
このようにして紙材２を構成することにより、サーマルヘッドを用いた感熱昇華転写を用いて、紙材２に写真を高画質で印刷することが可能となる。また後述するように、紙材２の樹脂層７は、隣接する紙材２間を接着するための層としても機能する。
【００２８】
図２（ｂ）に示すように、各表紙１１，１２は、紙基材１３と、冊子１０に組み込まれた際に積層体１と向かい合う内面１１ｃ，１２ｃ側に位置する樹脂層１７と、を有している。このうち樹脂層１７は、図２（ｂ）に示すように、紙基材１３のうち上述の内面１１ｃ，１２ｃ側に順次積層されたプライマー層１４、受容層１５、および保護層１６を含んでいる。
なお各表紙１１，１２においては、図２（ａ）に示す紙材２の場合と同様に、紙基材１３の両側（内面１１ｃ，１２ｃ側および外面１１ｄ，１２ｄ側）の各々に樹脂層１７が設けられていてもよい。
【００２９】
各表紙１１，１２の紙基材１３、プライマー層１４、受容層１５、および保護層１６は、紙材２の紙基材３、プライマー層４、受容層５、および保護層６と略同一であるので、詳細な説明は省略する。
【００３０】
冊子の構造
次に図３を参照して、冊子１０の構造についてより詳細に説明する。図３は、図１に示す冊子１０のIII−III線に沿った断面を示す図である。
【００３１】
上述のように、積層体１は、各紙材２の基端部２ｂを各々接着することにより構成されている。ここで、隣接する紙材２間は、各紙材２の樹脂層７の熱融着により接着されている。より具体的には、隣接する紙材２間は、図３に示すように、各紙材２の樹脂層７を加熱して溶融することにより形成される溶着部２０を介して接着されている。
【００３２】
また図３に示すように、一側表紙１１の内面１１ｃと紙材２との間は、一側表紙１１の樹脂層１７および紙材２の樹脂層７を加熱して溶融することにより形成される溶着部２０を介して接着されている。同様に、他側表紙１２の内面１２ｃと紙材２との間も、他側表紙１２の樹脂層１７および紙材２の樹脂層７を加熱して溶融することにより形成される溶着部２０を介して接着されている。
【００３３】
このように本実施の形態によれば、隣接する紙材２間、紙材２と一側表紙１１との間、および紙材２と他側表紙１２との間は、各紙材２の樹脂層７の熱融着により接着される。このため、製本用の糊や綴じ具を用いることなく、紙材２、一側表紙１１および他側表紙１２の各々が強固に接着された冊子を製造することができる。このようにより簡易かつ安価な方法で冊子を製造ことにより、冊子１０の製造に要するコストを低減することができる。
【００３４】
また図３に示すように、一側表紙１１の先端部分１１ａおよび他側表紙１２の先端部分１２ａは各々、積層体１の先端部１ａから突出しないよう内方に折り込まれている。この場合、各先端部分１１ａ，１２ａは、図３に示すように、隣接する紙材２の先端部２ａを覆うことなく内方に折り込まれている。このため、積層体１の寸法に合わせて一側表紙１１の先端部分１１ａおよび他側表紙１２の先端部分１２ａを切断する必要がない。このことにより、冊子１０の製造に要するコストをさらに低減することができる。
【００３５】
冊子製造方法
次に、このような構成からなる本実施の形態の作用について説明する。ここでは、はじめに、紙材２および各表紙１１，１２を接着する方法について説明し、次に、各表紙１１，１２を折り込む方法について説明する。
【００３６】
はじめに図４（ａ）（ｂ）（ｃ）を参照して、紙材２および各表紙１１，１２を接着する方法について説明する。
【００３７】
まず図４（ａ）に示すように、背表紙１８を支持するための熱板３３を準備し、次に、熱板３３の上に、背表紙１８と、背表紙１８と一体に形成された一側表紙１１および他側表紙１２とを載置する。なお図４（ａ）に示すように、熱板３３の近傍には、一側表紙１１を加熱しながら押圧する熱プレス機３２ａと、他側表紙１２を加熱しながら押圧する熱プレス機３２ｂとが配置されている。
【００３８】
次に図４（ｂ）に示すように、背表紙１８上に、両面に写真画像や文字が印刷された多数の写真紙（紙材）２を積層して構成された積層体１を載置する。この際、図４（ｂ）に示すように、積層体１の基端部１ｂが背表紙１８側となるよう積層体１が載置される。
【００３９】
その後、図４（ｃ）に示すように、一側表紙１１の基端部１１ｂを熱プレス機３２ａで加熱しながら押圧するとともに、他側表紙１２の基端部１２ｂを熱プレス機３２ｂで加熱しながら押圧する。また、熱板３３の温度を上昇させる。
これによって、各紙材２の樹脂層７がその基端部２ｂ近傍において溶融される。このため、隣接する紙材２間が溶着部２０を介して接着され、このことにより、多数の紙材２の基端部２ｂを接着してなる積層体１が形成される。
また、各紙材２の樹脂層７とともに、一側表紙１１の樹脂層１７および他側表紙１２の樹脂層１７がその基端部１１ｂ，１２ｂ近傍において溶融される。このことにより、紙材２と一側表紙１１との間、および紙材２と他側表紙１２との間が溶着部２０を介して接着される。
【００４０】
このときの熱プレス機３２ａ，３２ｂおよび熱板３３の温度および熱溶着時間が特に限られることはなく、樹脂層７，１７の特性などに応じて適宜設定される。例えば、熱プレス機３２ａ，３２ｂおよび熱板３３の温度は１２０℃〜１７０℃となっており、また熱溶着時間は２０秒〜１２０秒となっている。
また、熱プレス機３２ａ，３２ｂが各表紙１１，１２および積層体１に及ぼす荷重が特に限られることはなく、樹脂層７，１７の特性などに応じて適宜設定される。例えば、熱プレス機３２ａ，３２ｂは、５０Ｎ〜１００Ｎの荷重で各表紙１１，１２および積層体１を挟持する。なお、熱プレス機３２ａ，３２ｂの先端厚みは例えば２〜５ｍｍとなっている。
【００４１】
次に図５（ａ）（ｂ）（ｃ）（ｄ）を参照して、各表紙１１，１２を折り込む方法について説明する。
【００４２】
はじめに図５（ａ）に示すように、一側表紙１１のうち積層体１の先端部１ａにほぼ対応する箇所に折り目が形成されるよう、一側表紙１１をその外面１１ｄ側から折り目形成手段３４ａを用いて押圧する。この際、折り目が形成されるべき箇所を一側表紙１１の内面１１ｃ側から支持具（図示せず）により支持してもよい。次に、図５（ｂ）に示すように、一側表紙１１の場合と同様にして、折り目形成手段３４ｂを用いて他側表紙１２に折り目を形成する。
【００４３】
その後、図５（ｃ）に示すように、一側表紙１１の先端部分１１ａを折り目に沿って内方に押し込む。次に、図５（ｄ）に示すように、他側表紙１２の先端部分１２ａを折り目に沿って内方に押し込む。この際、各先端部分１１ａ，１２ａを折り目に沿って内方に押し込む手段が特に限られることはなく、各表紙１１，１２の材質などに応じて適切な器具が用いられる。例えば図５（ｃ）（ｄ）に示すように、先端が先細状の押込手段３５が用いられる。このようにして、各表紙１１，１２の先端部分１１ａ，１２ａが内方に折り込まれた冊子１０が得られる。
【００４４】
このように本実施の形態によれば、冊子１０は、多数の紙材２の基端部２ｂを接着してなる積層体１と、積層体１の基端部１ｂの一側に接着された一側表紙１１と、積層体１の基端部１ｂの他側に接着された他側表紙１２と、を備えている。ここで、各紙材２間、積層体１と一側表紙１１との間、および、積層体１と他側表紙１２との間は、各紙材２の樹脂層７の熱融着により接着されている。このため、各紙材２間、積層体１と一側表紙１１との間、または、積層体１と他側表紙１２との間を、低コストで強固に接着することができる。
【００４５】
さらに本実施の形態によれば、一側表紙１１および他側表紙１２は各々、内方へ折り込まれている。このため、冊子１を製造する際、紙材２の寸法に合わせて一側表紙１１および他側表紙１２を切断する必要がない。このため、冊子１０の製造コストをさらに低減することができる。
【００４６】
なお本実施の形態において、多数の紙材２の基端部２ｂを接着することにより積層体１が構成される例を示した。しかしながら、これに限られることはなく、一般に知られている様々な方法を用いて積層体１を構成することができる。例えば図６（ａ）に示すように、紙材２を２つ折りにすることにより形成される紙材体１９を多数積層させるとともに、各紙材体１９の基端部１９ｂを樹脂層７の熱溶着によって溶着することにより積層体１を構成してもよい。
【００４７】
また本実施の形態において、各表紙１１，１２の先端部分１１ａ，１２ａが、隣接する紙材２の先端部２ａを覆うことなく内方に折り込まれている例を示した。しかしながら、これに限られることはなく、図６（ｂ）に示すように、各表紙１１，１２の先端部分１１ａ，１２ａが、隣接する紙材２の先端部２ａを覆うよう内方に折り込まれていてもよい。この場合も、各表紙１１，１２を切断することなく冊子１０を得ることができ、このことにより、冊子１０の製造コストを低減することができる。
【００４８】
第２の実施の形態
次に図７乃至図９（ａ）（ｂ）（ｃ）を参照して、本発明の第２の実施の形態について説明する。ここで図７は、本発明の第２の実施の形態における冊子を示す図であり、図８（ａ）（ｂ）（ｃ）および図９（ａ）（ｂ）（ｃ）は、本発明の第２の実施の形態による冊子の製造方法を示す図である。
【００４９】
図７乃至図９（ａ）（ｂ）（ｃ）に示す第２の実施の形態は、一側表紙が、積層体の先端部を覆うよう他側表紙側へ折り込まれ、一側表紙の先端部分が、他側表紙に設けられた係合部に係合する点が異なるのみであり、他の構成は、図１乃至図６（ａ）（ｂ）に示す第１の実施の形態と略同一である。図７乃至図９（ａ）（ｂ）（ｃ）に示す第２の実施の形態において、図１乃至図６（ａ）（ｂ）に示す第１の実施の形態と同一部分には同一符号を付して詳細な説明は省略する。
【００５０】
冊子
はじめに図７を参照して、本実施の形態における冊子１０について説明する。図７に示すように、一側表紙１１は、積層体１の先端部１ａを覆うとともに他側表紙１２と部分的に重なるよう、他側表紙１２側へ折り込まれている。また図７に示すように、他側表紙１２の寸法は、積層体１の先端部１ａまで延びないような寸法となっている。そして他側表紙１２の先端部分１２ａ近傍には、一側表紙１１の先端部分１１ａに係合する係合部１２ｅが形成されている。このため、他側表紙１２側へ折り込まれた一側表紙１１の先端部分１１ａを他側表紙１２の係合部１２ｅにより係止することができる。このように本実施の形態によれば、積層体１の先端部１ａが一側表紙１１により覆われた、意匠性の高い冊子１０が提供される。
【００５１】
冊子製造方法
次に、このような構成からなる本実施の形態の作用について説明する。ここでは、はじめに、紙材２および各表紙１１，１２を接着する方法について説明し、次に、各表紙１１，１２を折り込む方法について説明する。
【００５２】
はじめに図８（ａ）（ｂ）（ｃ）を参照して、紙材２および各表紙１１，１２を接着する方法について説明する。まず図８（ａ）（ｂ）に示すように、熱板３３上に、背表紙１８、一側表紙１１および他側表紙１２を含む表紙シートと、積層体１とを載置する。次に図８（ｃ）に示すように、各紙材２間、積層体１と一側表紙１１との間、および、積層体１と他側表紙１２との間を、各紙材２の樹脂層７の熱融着により接着する。これらの工程は、図４（ａ）（ｂ）（ｃ）に示す第１の実施の形態における積層体１の形成工程および各表紙１１，１２の接着工程と略同一であるので、詳細な説明は省略する。
【００５３】
次に図９（ａ）（ｂ）（ｃ）を参照して、各表紙１１，１２を折り込む方法について説明する。
【００５４】
はじめに図９（ａ）に示すように、一側表紙１１のうち積層体１の先端部１ａにほぼ対応する箇所に折り目が形成されるよう、一側表紙１１をその外面１１ｄ側から折り目形成手段３４ａを用いて押圧する。この際、折り目が形成されるべき箇所を一側表紙１１の内面１１ｃ側から支持具（図示せず）により支持してもよい。
【００５５】
次に、図９（ｂ）に示すように、一側表紙１１が積層体１の先端部１ａを覆うよう、一側表紙１１を折り目に沿って他側表紙１２側に折り曲げる。その後、図９（ｃ）に示すように、一側表紙１１の先端部分１１ａを他側表紙１２側に折り込み、このとき、一側表紙１１の先端部分１１ａを他側表紙１２の係合部１２ｅに係合させる。このようにして、積層体１の先端部１ａが一側表紙１１により覆われた冊子１０が得られる。
この際、一側表紙１１の先端部分１１ａは他側表紙１２の係合部１２ｅにより係止されており、このため、冊子１０が容易に開かないようになっている。このことにより、より安定な構造を有する冊子１０を提供することができる。
【００５６】
なお本実施の形態において、係合部１２ｅが他側表紙１２の外面１２ｄ側に設けられている例を示した。しかしながら、これに限られることはなく、係合部１２ｅを他側表紙１２の内面１２ｃ側に設けてもよい。
【００５７】
また本実施の形態において、他側表紙１２の寸法が、積層体１の先端部１ａまで延びないような寸法となっている例を示した。しかしながら、これに限られることはなく、他側表紙１２が、積層体１の先端部１ａまで延びる寸法を有していてもよい。若しくは、他側表紙１２が、積層体１の先端部１ａを超えて延びる寸法を有していてもよく、この場合、第１の実施の形態の場合と同様に、他側表紙１２の先端部分１２ａは、積層体１の先端部１ａから突出しないよう内方に折り込まれる。
【００５８】
第３の実施の形態
次に図１０乃至図１４（ａ）（ｂ）（ｃ）を参照して、本発明の第３の実施の形態について説明する。ここで図１０乃至図１２は、本発明の第３の実施の形態における冊子を示す図であり、図１３（ａ）（ｂ）（ｃ）および図１４（ａ）（ｂ）（ｃ）は、本発明の第３の実施の形態による冊子の製造方法を示す図である。
【００５９】
図１０乃至図１４（ａ）（ｂ）（ｃ）に示す第３の実施の形態においては、積層体が、２つ折りにされた紙材からなる紙材体を多数積層させて形成されている。図１０乃至図１４（ａ）（ｂ）（ｃ）に示す第３の実施の形態において、図１乃至図６（ａ）（ｂ）に示す第１の実施の形態、または図７乃至図９（ａ）（ｂ）（ｃ）に示す第２の実施の形態と同一部分には同一符号を付して詳細な説明は省略する。
【００６０】
冊子
はじめに図１０乃至図１２を参照して、本実施の形態における冊子１０について説明する。本実施の形態においては、図１０に示すように、積層体１が、紙材２を２つ折りにすることにより形成される紙材体２５を多数積層させることにより構成されている。
【００６１】
より具体的には、各紙材体２５は、図１０に示すように、紙材体２５の先端部２５ａが折り目となるよう２つ折りにされた紙材２からなっている。そして積層体１は、多数の紙材体２５の基端部２５ｂを接着することにより構成されている。
【００６２】
次に、本実施の形態における冊子１０の構造について、図１２を参照してより詳細に説明する。図１２は、図１０に示す冊子１０のXII−XII線に沿った断面を示す図である。
【００６３】
図１２に示すように、紙材体２５を構成する紙材２は、２つ折りにされた際に内方に位置する内面２ｇと、外方に位置する外面２ｈと、を含んでいる。また紙材２の内面２ｇおよび外面２ｈは、写真などの画像が形成された画像領域２ｅと、隣接する紙材体２５の紙材２との間で接着されるとじしろ領域２ｆと、に区画される。
【００６４】
この場合、図１２に示すように、各紙材２の内面２ｇおよび外面２ｈの画像領域２ｅにおける表面層、および、各紙材２の外面２ｈのとじしろ領域２ｆにおける表面層は、それぞれ樹脂層７からなっている。一方、各紙材２の内面２ｇのとじしろ領域２ｆにおける表面には、樹脂層７が配置されていない。
このため、各紙材体２５の基端部２５ｂを樹脂層７の熱融着により接着した場合、図１２に示すように、隣接する紙材体２５の紙材２の外面２ｈ間が溶着部２０を介して接着される。一方、各紙材体２５の紙材２の内面２ｇ間には溶着部２０が形成されず、このため、各紙材体２５の紙材２の内面２ｇ間は接着されない。
【００６５】
このような構造からなる冊子１０を広げた場合の様子について、図１１を参照して説明する。図１１は、図１１において矢印Ｄで示す方向に冊子１０を広げる場合を示す図である。上述のように、隣接する紙材体２５の紙材２の外面２ｈ間は溶着されており、一方、各紙材体２５の紙材２の内面２ｇ間は溶着されていない。このため、多数の紙材体２５、一側表紙１１および他側表紙１２からなる冊子１０は、図１１に示すように蛇腹式に広げられる。この場合、各紙材体２５の紙材２の内面２ｇおよび外面２ｈは、写真などの画像が形成された画像領域２ｅを含んでいる。このため、冊子１１を蛇腹式に広げることにより、多数の画像を観賞することができる。
【００６６】
また図１０および図１１に示すように、一側表紙１１は、積層体１の基端部１ｂを覆うとともに他側表紙１２と部分的に重なるよう、他側表紙１２側へ折り込まれている。また他側表紙１２の先端部分１２ａ近傍には、一側表紙１１の先端部分１１ａに係合する係合部１２ｅが形成されている。このため、他側表紙１２側へ折り込まれた一側表紙１１の先端部分１１ａを他側表紙１２の係合部１２ｅにより係止することができる。このように本実施の形態によれば、積層体１の１基端部１ｂが一側表紙１１により覆われた、意匠性の高い冊子１０が提供される。
【００６７】
冊子製造方法
次に、このような構成からなる本実施の形態の作用について説明する。ここでは、はじめに、紙材２および各表紙１１，１２を接着する方法について説明し、次に、各表紙１１，１２を折り込む方法について説明する。
【００６８】
はじめに図１３（ａ）（ｂ）（ｃ）を参照して、紙材２からなる紙材体２５および各表紙１１，１２を接着する方法について説明する。まず図１３（ａ）（ｂ）に示すように、熱板３３上に、一側表紙１１および他側表紙１２と、多数の紙材体２５からなる積層体１とを載置する。次に図１３（ｃ）に示すように、各紙材体２５間、積層体１と一側表紙１１との間、および、積層体１と他側表紙１２との間を、各紙材２の樹脂層７の熱融着により接着する。これによって、隣接する紙材体２５の紙材２の外面２ｈ間、紙材体２５と一側表紙１１との間、および紙材体２５と他側表紙１２との間が溶着部２０を介して接着される。一方、上述のように、各紙材２の内面２ｇのとじしろ領域２ｆにおける表面には樹脂層７が配置されていない。このため、図１３（ｃ）に示すように、各紙材体２５の紙材２の内面２ｇ間が接着されることはない。
【００６９】
次に図１４（ａ）（ｂ）（ｃ）を参照して、各表紙１１，１２を折り込む方法について説明する。
【００７０】
はじめに図１４（ａ）に示すように、一側表紙１１のうち積層体１の基端部１ｂにほぼ対応する箇所に折り目が形成されるよう、一側表紙１１を、折り目形成手段３４ａを用いて押圧する。この際、折り目が形成されるべき箇所を支持具（図示せず）により支持してもよい。
【００７１】
次に、図１４（ｂ）に示すように、一側表紙１１が積層体１の基端部１ｂを覆うよう、一側表紙１１を折り目に沿って他側表紙１２側に折り曲げる。その後、図１４（ｃ）に示すように、一側表紙１１の先端部分１１ａを他側表紙１２側に折り込み、このとき、一側表紙１１の先端部分１１ａを他側表紙１２の係合部１２ｅに係合させる。このようにして、積層体１の基端部１ｂが一側表紙１１により覆われた冊子１０が得られる。
この際、一側表紙１１の先端部分１１ａは他側表紙１２の係合部１２ｅにより係止されており、このため、冊子１０が容易に開かないようになっている。このため、より安定な構造を有する冊子１０を提供することができる。
【００７２】
なお本実施の形態において、一側表紙１１が、積層体１の基端部１ｂを覆うよう他側表紙１２側に折り込まれる例を示した。しかしながら、これに限られることはなく、図示はしないが、積層体１の先端部１ａを覆うよう一側表紙１１を他側表紙１２側に折り込んでもよい。この場合、他側表紙１２の係合部１２ｅは、積層体１の先端部１ａ側から他側表紙１２に向かって折り込まれた一側表紙１１の先端部分１１ａを係止するよう形成される。
【００７３】
また上記各実施の形態において、各表紙１１，１２を構成する紙基材１３、プライマー層１４、受容層１５、および保護層１６が、紙材２を構成する紙基材３、プライマー層４、受容層５、および保護層６と略同一になっている例を示した。しかしながら、これに限られることはなく、各表紙１１，１２を構成する各層を、紙材２を構成する各層とは異なる層としてもよい。
【００７４】
また上記各実施の形態において、各表紙１１，１２の樹脂層１７が、冊子１０に組み込まれた際に積層体１側を向く内面１１ｃ，１２ｃ側にのみ設けられている例を示した。しかしながら、これに限られることはなく、外面１１ｄ，１２ｄ側にも樹脂層１７を設けてもよい。または、紙材２の樹脂層７によって紙材と各表紙１１，１２間とを十分に接着可能である場合、各表紙１１，１２が樹脂層を有していなくてもよい。
【００７５】
また上記各実施の形態において、各紙材２間または各紙材体２５間、積層体１と一側表紙１１との間、および、積層体１と他側表紙１２との間が、樹脂層７の熱溶着により同時に接着される例を示した。しかしながら、これに限られることはなく、はじめに、各紙材２間または各紙材体２５間を樹脂層７の熱溶着により接着し、これによって積層体１を形成し、次に、積層体１と一側表紙１１との間、および、積層体１と他側表紙１２との間を、樹脂層７の熱溶着により接着してもよい。
【符号の説明】
【００７６】
１      積層体
１ａ    積層体の先端部
１ｂ    積層体の基端部
１ｃ    積層体の一面
１ｄ    積層体の他面
２      紙材
２ａ    紙材の先端部
２ｂ    紙材の基端部
２ｃ    紙材の一面
２ｄ    紙材の他面
２ｅ    紙材の画像領域
２ｆ    紙材のとじしろ領域
２ｇ    紙材の内面
２ｈ    紙材の外面
３      基材層
４      プライマー層
５      受容層
６      保護層
７      樹脂層
１０    冊子
１１    一側表紙
１１ａ  一側表紙の先端部分
１１ｂ  一側表紙の基端部
１１ｃ  一側表紙の内面
１１ｄ  一側表紙の外面
１２    他側表紙
１２ａ  他側表紙の先端部分
１２ｂ  他側表紙の基端部
１２ｃ  他側表紙の内面
１２ｄ  他側表紙の外面
１３    基材層
１４    プライマー層
１５    受容層
１６    保護層
１７    樹脂層
１８    背表紙
１９    紙材体
２０    溶着部
２５    紙材体
２５ａ  紙材体の先端部
２５ｂ  紙材体の基端部
２５ｃ  紙材体の一面
２５ｄ  紙材体の他面
３２ａ，３２ｂ  熱プレス機
３３    熱板
３４ａ  折り目形成手段
３４ｂ  折り目形成手段
３５    押込手段
【図１】
2012006352.tif 000003
【図２】
2012006352.tif 000004
【図３】
2012006352.tif 000005
【図４】
2012006352.tif 000006
【図５】
2012006352.tif 000007
【図６】
2012006352.tif 000008
【図７】
2012006352.tif 000009
【図８】
2012006352.tif 000010
【図９】
2012006352.tif 000011
【図１０】
2012006352.tif 000012
【図１１】
2012006352.tif 000013
【図１２】
2012006352.tif 000014
【図１３】
2012006352.tif 000015
【図１４】
2012006352.tif 000016